(57)【要約】【課題】搬送路を簡素な構成としながら、媒体の受入処理における利用者の負担を軽減し得るようにする。【解決手段】現金自動預払機１の紙幣入出金機１０は、入金計数処理において入金リジェクト紙幣を後搬送路２２Ｙに貯留させた後、記憶している読取情報を用いて再判定処理を行い、受入可能と判定されたものを受入可能紙幣と同様に一時保留部１５へ搬送して収納させ、受入不可能と判定されたものを入出金部１２へ搬送して顧客に返却する。これにより紙幣入出金機１０は、後搬送路２２Ｙに貯留された入金リジェクト紙幣ＢＬＲを無条件で全て入出金部１２へ搬送して顧客に返却する場合と比較して、顧客に返却する紙幣の枚数を削減でき、顧客の手間を減らすことができる。【選択図】図９
2017045133.tif 000002
【特許請求の範囲】
【請求項１】
利用者との間で媒体を授受する入出部と、
前記入出部と接続され、前記媒体を搬送する第１搬送路と、
前記第１搬送路に設けられ、前記利用者により前記入出部に投入され当該第１搬送路により搬送される前記媒体から、所定のセンサにより情報を読み取り読取情報を生成する鑑別部と、
前記読取情報を基に前記媒体の状態を判定する判定処理を行う判定処理部と、
前記媒体を搬送する第２搬送路と、
前記第２搬送路に接続され、前記媒体を収納する一時保留部と、
前記第１搬送路、前記第２搬送路、及び前記媒体を搬送する第３搬送路のうち２つの搬送路を接続することにより前記媒体の搬送経路を切り替える切替部と、
前記鑑別部において受入可能と判定された受入媒体を、前記第１搬送路から前記切替部により前記第２搬送路へ進行させて前記一時保留部に収納させる一方、前記鑑別部において異常と判定されたリジェクト媒体を、前記第１搬送路から前記切替部により前記第３搬送路へ進行させて貯留させる搬送制御部と
を具え、
前記判定処理部は、所定の再判定条件が満たされた場合、前記入出部からの前記第１搬送路による前記媒体の搬送を中止し、前記第３搬送路に貯留されている前記リジェクト媒体に対して再判定処理を行い、
前記搬送制御部は、前記再判定処理において受入可能と判定された前記媒体を前記第２搬送路へ進行させて前記一時保留部に収納させ、前記再判定処理において異常と判定された前記媒体を前記第１搬送路へ進行させる
ことを特徴とする媒体取引装置。
【請求項２】
前記判定処理は、前記媒体の搬送状態が正常である搬送正常又は当該搬送状態が異常である搬送異常の何れであるかを判定する搬送判定処理と、搬送正常であった前記媒体が受入可能又は異常の何れであるかを判定する受入判定処理とを含み、
前記再判定処理は、前記第３搬送路に貯留されている前記リジェクト媒体に対して、前記読取情報を基に前記受入判定処理と同一の判定条件により行われる
ことを特徴とする請求項１に記載の媒体取引装置。
【請求項３】
前記判定処理部は、前記判定処理において搬送異常と判定された前記リジェクト媒体のみに対し前記再判定処理を行う
ことを特徴とする請求項２に記載の媒体取引装置。
【請求項４】
前記搬送制御部は、前記第３搬送路に貯留していた前記リジェクト媒体のうち前記再判定処理において異常と判定されたものを、前記第１搬送路を介し前記入出部へ搬送させて前記利用者に返却する
ことを特徴とする請求項１に記載の媒体取引装置。
【請求項５】
前記利用者に返却した前記リジェクト媒体を異常と判定した理由を前記利用者に提示する提示部
をさらに具えることを特徴とする請求項４に記載の媒体取引装置。
【請求項６】
前記提示部は、情報を表示する表示部を有し、文字及び図の少なくとも一方を用いて前記理由を表す返却理由表示画面を当該表示部に表示させる
ことを特徴とする請求項５に記載の媒体取引装置。
【請求項７】
前記搬送制御部は、前記第３搬送路に貯留していた前記リジェクト媒体のうち前記再判定処理において異常と判定されたものを、前記第１搬送路へ搬送させた後、前記第３搬送路へ搬送して再度貯留させ、前記入出部からの前記第１搬送路による前記媒体の搬送を再開させる
ことを特徴とする請求項１に記載の媒体取引装置。
【請求項８】
前記搬送制御部は、前記第３搬送路へ搬送された前記リジェクト媒体の全てが前記再判定処理において異常と判定された場合、当該リジェクト媒体を、前記第１搬送路を介し前記入出部へ搬送させて前記利用者に返却する
ことを特徴とする請求項７に記載の媒体取引装置。
【請求項９】
前記判定処理部は、前記第３搬送路に貯留可能な最大数の前記媒体が貯留されたことを前記再判定条件とする
ことを特徴とする請求項１に記載の媒体取引装置。
【請求項１０】
前記判定処理部は、前記入出部に投入された全ての前記媒体から前記鑑別部により前記読取情報を生成し終えたことを前記再判定条件とする
ことを特徴とする請求項１に記載の媒体取引装置。
【請求項１１】
前記第３搬送路は、前記利用者から受け取った前記媒体又は当該利用者に受け渡すための前記媒体を収納する媒体収納庫と接続され、
前記搬送制御部は、前記入出部に投入された全ての前記媒体に対する前記判定処理部による前記判定処理が終了し、前記第３搬送路から前記リジェクト媒体が他の場所へ搬送された後、受入可能と判定され前記一時保留部に収納されている前記媒体を、前記第２搬送路、前記切替部及び前記第３搬送路を介して、前記媒体収納庫へ搬送し収納させる
ことを特徴とする請求項１に記載の媒体取引装置。
【発明の詳細な説明】
【技術分野】
【０００１】
本発明は媒体取引装置に関し、例えば紙幣のような紙葉状の媒体を投入して所望の取引を行う現金自動預払機（ＡＴＭ：Automatic Teller Machine）等に適用して好適なものである。
【背景技術】
【０００２】
従来、金融機関等で使用される現金自動預払機においては、顧客との取引内容に応じて、例えば顧客に紙幣や硬貨等の現金を入金させる入金取引や、顧客へ現金を出金する出金取引等の各種取引を行うようになっている。
【０００３】
現金自動預払機としては、例えば紙幣の入出金に関する処理を行う紙幣入出金機を搭載したものがある。紙幣入出金機は、例えば顧客との間で紙幣の授受を行う入出金部と、搬送経路に沿って紙幣を搬送する搬送部と、投入された紙幣の搬送状態、金種や真偽等を鑑別する鑑別部と、投入された紙幣を一時的に保留する一時保留部と、金種ごとに紙幣を収納する紙幣収納庫とを有するものがある。
【０００４】
紙幣入出金機は、例えば入金取引において、投入された紙幣を１枚ずつ鑑別して一時保留部に貯留する入金計数処理と、一時保留部から紙幣を金種ごとに振り分けながら紙幣収納庫に収納させる入金収納処理といった、２段階の処理を行う。紙幣入出金機は、前段の入金計数処理において、例えば顧客に投入された紙幣を１枚ずつ取り込んで搬送し、鑑別部により鑑別し、受入可能な紙幣を一時保留部へ搬送して貯留する一方、受入不可能な紙幣（以下これを入金リジェクト紙幣とも呼ぶ）を顧客に返却する。このとき顧客は、返却された紙幣を確認し、必要に応じて再投入する。
【０００５】
ここで紙幣入出金機のなかには、搬送部における搬送経路の構成等により、鑑別部において受入不可能と判定された紙幣を、入出金部へ直接搬送できないものがある。また、一般に、入金リジェクト紙幣の発生枚数は、１回の入金取引において、多くとも数枚程度となる。そこで紙幣入出金機のなかには、入金計数処理において利用しない搬送路に入金リジェクト紙幣を貯留しておき、投入された全ての紙幣を取り込み終えた時点で、搬送路から入出金部へ入金リジェクト紙幣を搬送して顧客に返却するものが提案されている（例えば、特許文献１参照）。
【先行技術文献】
【特許文献】
【０００６】
【特許文献１】特開２０１５−５６１２５号公報（第６図）
【発明の概要】
【発明が解決しようとする課題】
【０００７】
ところで、かかる構成の紙幣入出金機では、入金計数処理において、搬送路に貯留可能な最大枚数の入金リジェクト紙幣を既に貯留した場合、新たな入金リジェクト紙幣が発生した場合に、これをいずれかの箇所に貯留して入金計数処理を継続することはできない。このため紙幣入出金機は、このような場合、投入された紙幣の取込処理を中止し、入金リジェクト紙幣を入出金部へ搬送して顧客に返却し、確認させ、紙幣の交換や再投入等の対処を行わせる。
【０００８】
しかしながら、このとき返却される紙幣には、シール等の異物が付着している紙幣のように顧客にとって返却の理由が明らかなもの以外に、紙幣入出金機の搬送部において偶発的に搬送状態に問題があったものも含まれる。このため、返却された紙幣を受け取った顧客は、多数の紙幣について返却された理由を推測しながら確認や対処を行う必要があり、その負担が大きい、という問題があった。
【０００９】
本発明は以上の点を考慮してなされたもので、搬送路を簡素な構成としながら、媒体の受入処理における顧客の負担を軽減し得る媒体取引装置を提案しようとするものである。
【課題を解決するための手段】
【００１０】
かかる課題を解決するため本発明の媒体取引装置においては、利用者との間で媒体を授受する入出部と、入出部と接続され、媒体を搬送する第１搬送路と、第１搬送路に設けられ、利用者により入出部に投入され当該第１搬送路により搬送される媒体から、所定のセンサにより情報を読み取り読取情報を生成する鑑別部と、読取情報を基に媒体の状態を判定する判定処理を行う判定処理部と、媒体を搬送する第２搬送路と、第２搬送路に接続され、媒体を収納する一時保留部と、第１搬送路、第２搬送路、及び媒体を搬送する第３搬送路のうち２つの搬送路を接続することにより媒体の搬送経路を切り替える切替部と、鑑別部において受入可能と判定された受入媒体を、第１搬送路から切替部により第２搬送路へ進行させて一時保留部に収納させる一方、鑑別部において異常と判定されたリジェクト媒体を、第１搬送路から切替部により第３搬送路へ進行させて貯留させる搬送制御部とを設け、判定処理部は、所定の再判定条件が満たされた場合、入出部からの第１搬送路による媒体の搬送を中止し、第３搬送路に貯留されているリジェクト媒体に対して再判定処理を行い、搬送制御部は、再判定処理において受入可能と判定された媒体を第２搬送路へ進行させて一時保留部に収納させ、再判定処理において異常と判定された媒体を第１搬送路へ進行させるようにした。
【００１１】
これにより、一度はリジェクト媒体と判定された媒体であっても、再判定処理において受入可能と判定された場合、受入媒体と同様に一時保留部へ搬送するため、本来的に受入可能であるにも拘わらず偶発的に異常と判定された媒体の返却を回避でき、また利用者に返却する媒体の数も削減できる。
【発明の効果】
【００１２】
本発明によれば、搬送路を簡素な構成としながら、媒体の受入処理における利用者の負担を軽減し得る媒体取引装置を実現できる。
【図面の簡単な説明】
【００１３】
【図１】現金自動預払機の外観構成を示す略線的斜視図である。
【図２】紙幣入出金機の構成を示す略線図である。
【図３】制御部の機能構成を示すブロック図である。
【図４】搬送部の構成を示す略線図である。
【図５】紙幣の搬送の様子を示す略線図である。
【図６】入金計数処理における紙幣の搬送経路を示す略線図である。
【図７】後搬送部に入金リジェクト紙幣を貯留した様子を示す略線図である。
【図８】第１の実施の形態による再判定処理手順を示すフローチャートである。
【図９】第１の実施の形態における再判定処理での紙幣の搬送経路を示す略線図である。
【図１０】入金収納処理における紙幣の搬送経路を示す略線図である。
【図１１】出金処理における紙幣の搬送経路を示す略線図である。
【図１２】第２の実施の形態による再判定処理手順（１）を示すフローチャートである。
【図１３】第２の実施の形態による再判定処理手順（２）を示すフローチャートである。
【図１４】第２の実施の形態における再判定処理での紙幣の搬送経路を示す略線図である。
【図１５】返却理由表示画面の構成を示す略線図である。
【発明を実施するための形態】
【００１４】
以下、発明を実施するための形態（以下実施の形態とする）について、図面を用いて説明する。
【００１５】
［１．第１の実施の形態］
［１−１．現金自動預払機及び紙幣入出金機の構成］
図１に外観を示すように、現金自動預払機１は、箱状の筐体２を中心に構成されており、例えば金融機関等に設置され、利用者（すなわち金融機関の顧客）との間で入金取引や出金取引等の現金に関する取引を行う。
【００１６】
筐体２は、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行うようになっており、カード入出口４、入出金口５、操作表示部６、テンキー７、及びレシート発行口８が設けられている。
【００１７】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される。また入出金口５は、シャッタを駆動することにより開放又は閉塞する。因みに紙幣は、例えば長方形の紙により、紙葉状に形成されている。
【００１８】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１９】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２０】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等に関する種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２１】
紙幣入出金機１０は、図２に側面図を示すように、内部に媒体としての紙幣に関する種々の処理を行う複数の部分が組み込まれている。紙幣入出金機１０は、大きく分けて、上下方向のほぼ中央よりも上側部分を占める上部ブロック１０Ｕと、その下側部分を占める下部ブロック１０Ｌとにより構成されている。
【００２２】
上部ブロック１０Ｕには、全体を統括制御する紙幣制御部１１、顧客との間で紙幣を授受する入出金部１２、紙幣を各部へ搬送する搬送部１３、紙幣を鑑別する鑑別部１４及び紙幣を一時的に収納する一時保留部１５が設けられている。一方、下部ブロック１０Ｌは、その全ての周側面が頑強な金庫筐体１０Ｓにより覆われている。この金庫筐体１０Ｓの内部には、後側から前側へ向けて、５個の紙幣収納庫１６（１６Ａ、１６Ｂ、１６Ｃ、１６Ｄ及び１６Ｅ）並びにリジェクト庫１７が設けられている。
【００２３】
紙幣制御部１１は、図示しないＣＰＵと、ＲＯＭ、ＲＡＭ及びフラッシュメモリ等でなる記憶部とにより構成されている。このうちＣＰＵは、記憶部から各種プログラムを読み出して実行することにより、種々の処理を行う。記憶部のうち不揮発性のＲＯＭやフラッシュメモリは、基本プログラムの他、入金計数プログラム、入金収納プログラムや出金プログラムといった種々のプログラムが記憶されている。記憶部のうち揮発性のＲＡＭは、ＣＰＵのワークエリアとして用いられる他、各種情報を一時的に記憶する。
【００２４】
例えば紙幣制御部１１は、記憶部から入金計数プログラムを読み出し、これをＣＰＵにおいて実行することにより、図３に示すように、判定処理部３１、搬送制御部３５、表示制御部３６及び記憶部３８といった複数の機能ブロックを形成する。また判定処理部３１内には、搬送判定処理部３２及び受入判定処理部３３が形成される。
【００２５】
入出部としての入出金部１２（図２）は、上部ブロック１０Ｕ内における前上部に位置している。この入出金部１２は、顧客から受け取った紙幣及び顧客へ引き渡す紙幣を収容する収容器１２Ａを内部に有しており、その上方をシャッタ１２Ｂにより開放又は閉塞する。収容器１２Ａ内には、複数の紙幣が紙面を前後方向に向けて集積された状態で収容される。因みに収容器１２Ａは、最大で約２００枚の紙幣を収容できる。またシャッタ１２Ｂは、筐体２に設けられた入出金口５（図１）のシャッタと連動して開放又は閉塞する。
【００２６】
この入出金部１２は、入金取引等において顧客により収容器１２Ａ内に紙幣が投入されると、シャッタ１２Ｂを閉塞した後、収容器１２Ａ内の紙幣を１枚ずつに分離し、所定の周期ごとに搬送部１３に順次引き渡す。また入出金部１２は、出金取引等において搬送部１３により搬送されてくる紙幣を順次受け取り、収容器１２Ａ内に順次放出して集積させた後、シャッタ１２Ｂを開放して顧客に受け取らせる。
【００２７】
搬送部１３は、上部ブロック１０Ｕ内における下端部分に位置しており、全体的に上下方向に薄く前後方向に細長い形状となっている。この搬送部１３内には、紙幣を案内する搬送ガイドや多数の回転するローラ等が適宜配置されており、紙幣の短辺を進行方向に沿わせて、主に前後方向へ搬送させるような直線状の搬送路が形成されている。
【００２８】
搬送部１３は、図４に拡大図を示すように、大きく分けて、中央付近に配置された一時保留切替部２０と、当該一時保留切替部２０の前側及び後側にそれぞれ配置された前搬送部２１及び後搬送部２２により構成されている。一時保留切替部２０は、いわゆる３ウェイの切替となっており、紙幣制御部１１の制御に基づき、前搬送部２１、後搬送部２２及び一時保留部１５の間で紙幣を搬送するよう、紙幣の搬送経路を３通りに切り替える。
【００２９】
また搬送部１３内には、一時保留切替部２０の他に複数の切替部が配置されている。各切替部は、回動可能なブレード（図中に三角形で示す）及びその周囲に配置された回転可能な複数のローラ（図示せず）により構成されている。この切替部は、紙幣制御部１１の制御に従い、各紙幣の搬送先に応じてブレードの傾斜方向を変化させると共に各ローラを所定の回転方向へ回転させることにより、紙幣の搬送方向を適宜切り替えて所望の搬送先へ搬送する。
【００３０】
前搬送部２１内には、前方から順に、リジェクト切替部２４、鑑別部１４及び切替部２５が直列に配置されており、全体として前後方向に沿った概ね直線状の前搬送路２１Ｙが形成されている。リジェクト切替部２４及び切替部２５は、それぞれ紙幣制御部１１における搬送制御部３５（図３）の制御に基づき、紙幣の搬送経路を適宜切り替えることにより、第１搬送路としての前搬送路２１Ｙとリジェクト切替部２４又は紙幣収納庫１６Ａとの間で紙幣を搬送させる。
【００３１】
後搬送部２２内には、前方から順に、切替部２６、２７及び２８がほぼ直列に配置されており、全体として前後方向に沿った概ね直線状の後搬送路２２Ｙが形成されている。切替部２６〜２８は、それぞれ紙幣制御部１１における搬送制御部３５の制御に基づき、紙幣の搬送経路を適宜切り替えることにより、第３搬送路としての後搬送路２２Ｙと紙幣収納庫１６Ｂ、１６Ｃ、１６Ｄ又は１６Ｅとの間で紙幣を搬送させる。また搬送部１３は、前搬送部２１及び後搬送部２２における搬送速度や搬送方向を個別に制御し得るようになっている。さらに前搬送部２１及び後搬送部２２は、それぞれの搬送路中に数枚程度の紙幣を貯留できる。
【００３２】
ところで搬送部１３は、図５（Ａ）に示すように、紙幣ＢＬの長辺を進行方向の前後に向け、短辺に沿って進行させる。また搬送部１３は、入出金部１２（図２）から所定の周期ごとに繰り出される紙幣ＢＬを順次受け取り、搬送路上において当該紙幣ＢＬを一定の搬送周期である距離ＬＰごとに引き離して搬送する。因みに紙幣入出金機１０では、最大で約２００枚のような多量の紙幣を順次搬送する必要があるため、距離ＬＰを可能な限り短く設定しており、また各紙幣ＢＬをできるだけ高速で搬送するようになっている。
【００３３】
ここで、図５（Ａ）に示したように、紙幣ＢＬが正常に搬送され、当該紙幣ＢＬの短辺を進行方向とほぼ平行に向けている場合、当該紙幣ＢＬ同士の間隔は、距離ＬＰから当該紙幣ＢＬにおける短辺の長さを差し引いた距離ＬＳとなる。一方、図５（Ｂ）に示すように、何らかの要因により紙幣ＢＬ２が傾き、その短辺が進行方向に対し傾斜している場合、当該紙幣ＢＬ２における見かけ上の進行方向の長さが長くなる。このため、紙幣ＢＬ２と後続の紙幣ＢＬ３との間隔は、距離ＬＳよりも短い距離ＬＳ２となる。
【００３４】
また、例えば入出金部１２（図２）において紙幣ＢＬ４（図５（Ｂ））を繰り出す周期が変動し、先行する紙幣ＢＬ３から当該紙幣ＢＬ４までの周期が距離ＬＰよりも短いＬＰ３となってしまった場合、先行する紙幣ＢＬ３から当該紙幣ＢＬ４までの間隔は、やはり距離ＬＳよりも短い距離ＬＳ３となる。
【００３５】
鑑別部１４（図２及び図３）は、前搬送部２１内に組み込まれており、前搬送路２１Ｙ上で入出金部１２と一時保留切替部２０との間に位置している。この鑑別部１４は、内部に厚みセンサ、イメージセンサ及び磁気センサといった複数種類のセンサが組み込まれており、各センサにより各紙幣から種々の情報を読み取り、得られた情報（以下これを読取情報と呼ぶ）を紙幣制御部１１（図２）へ供給する。
【００３６】
これに応じて紙幣制御部１１は、各紙幣の状態を判定し、当該紙幣が正常であり受入可能であるか、或いは異常であり利用者に返却すべきであるかを決定する。具体的に紙幣制御部１１は、得られた読取情報を基に、各紙幣における搬送状態並びに金種や損傷の程度、或いは真偽等を判定し、このときの判定結果を基に各紙幣の搬送先を決定して、搬送部１３の各切替部や各搬送路における搬送動作を制御する（詳しくは後述する）。このとき紙幣制御部１１は、読取情報を基に、各紙幣に一意に付されている数字や文字である記番号も認識する。
【００３７】
一時保留部１５（図２）は、いわゆるテープエスクロ方式を採用しており、円筒状のドラムの周側面に紙幣をテープと共に巻き付けることで当該紙幣を貯留し、またこの周側面から当該テープを引き剥がすことで紙幣を繰り出す。また一時保留部１５は、その内部に、このドラムの周側面と搬送部１３の一時保留切替部２０との間を結ぶようにして、第２搬送路としての一時保留搬送路１５Ｙを形成している。因みに一時保留部１５には、最大で約２００枚の紙幣を貯留できる。
【００３８】
紙幣収納庫１６（１６Ａ〜１６Ｅ）は、何れも同様に構成されており、上下方向に長い直方体状に形成されると共に内部に紙幣を集積して収納する空間を有している。また各紙幣収納庫１６は、それぞれ収納すべき紙幣の金種が予め設定されている。この紙幣収納庫１６は、鑑別部１４及び紙幣制御部１１により損傷の程度が小さく再利用が可能であると判定された紙幣が、その金種に応じて搬送部１３により搬送されてくると、当該紙幣を内部に集積して収納する。また紙幣収納庫１６は、紙幣制御部１１から紙幣を繰り出す指示を受け付けると、集積している紙幣を１枚ずつに分離して繰り出し、搬送部１３に引き渡す。
【００３９】
リジェクト庫１７は、上下方向に長い直方体状に形成されると共に内部に紙幣を集積して収納する空間を有している。このリジェクト庫１７は、鑑別部１４及び紙幣制御部１１により損傷の程度が大きく再利用すべきで無いと判定された紙幣（いわゆるリジェクト紙幣）が搬送部１３により搬送されてくると、当該紙幣を内部に収納する。
【００４０】
［１−２．紙幣の搬送］
次に、現金自動預払機１により利用者（金融機関の顧客）との間で入金取引及び出金取引が行われる場合における、紙幣入出金機１０内での入金処理及び出金処理について説明する。このうち入金処理については、前段の入金計数処理と、後段の入金収納処理に分けて説明する。
【００４１】
［１−２−１．入金計数処理］
紙幣入出金機１０は、入金処理において、紙幣制御部１１の制御に基づき、まず入金された紙幣の金種等を鑑別しながら枚数を計数する入金計数処理を行い、次に紙幣を適切な収納箇所へ搬送して収納する入金収納処理を行う。
【００４２】
具体的に紙幣制御部１１は、例えば顧客により操作表示部６（図１）を介して入金処理を開始する旨の操作入力を受け付けると、入金計数処理を開始し、入出金部１２のシャッタ１２Ｂを開いて収容器１２Ａ内へ紙幣を投入させる。次に紙幣制御部１１は、操作表示部６を介して紙幣の取り込みを開始する操作入力を受け付けると、シャッタ１２Ｂを閉じて収容器１２Ａ内の紙幣を１枚ずつに分離して取り込み、搬送部１３へ順次引き渡す。
【００４３】
搬送部１３は、紙幣制御部１１の搬送制御部３５（図３）による制御に従い、図６に矢印Ｑ１として示すように、入出金部１２から受け取った紙幣を前搬送部２１により後方へ順次搬送し、前搬送路２１Ｙに沿って後方へ進行させながら、鑑別部１４により各紙幣を順次鑑別し、後側の一時保留切替部２０へ順次引き渡す。このとき鑑別部１４は、各センサにより各紙幣から読み取った読取情報を紙幣制御部１１へ順次送出する。
【００４４】
これに応じて紙幣制御部１１（図３）は、判定処理部３１の搬送判定処理部３２により、読取情報を基に、各紙幣が正常に搬送されているか否かを判定する搬送判定処理を行う。続いて紙幣制御部１１は、判定処理部３１の受入判定処理部３３により、金種、真偽、正損（損傷しているか否か）等の観点から受入可能であるか否かを判定する受入判定処理を行う。
【００４５】
さらに紙幣制御部１１は、各判定処理における判定結果を基に各紙幣の搬送先を決定する。具体的に紙幣制御部１１は、搬送判定処理において異常と判定された紙幣（以下これを搬送異常紙幣とも呼ぶ）と、搬送判定処理において正常と判定されたものの受入判定処理において異常と判定された紙幣（以下これを受入異常紙幣とも呼ぶ）とを、まとめて入金リジェクト紙幣とする。さらに紙幣制御部１１は、この入金リジェクト紙幣の搬送先を、後搬送部２２の後搬送路２２Ｙに決定し、決定した搬送先を、それぞれの判定結果及び読取情報と共に、その順序と対応付けて記憶部３８（図３）に記憶させる。
【００４６】
一方、紙幣制御部１１は、搬送判定処理及び受入判定処理の双方において正常と判定された紙幣（以下これを入金受入紙幣とも呼ぶ）についての当初の搬送先を、一時保留部１５に決定する。また紙幣制御部１１は、各入金受入紙幣の最終的な搬送先についても決定する。具体的に紙幣制御部１１は、損傷の程度が小さく再利用可能と判定した紙幣については、その金種に応じた紙幣収納庫１６（１６Ａ〜１６Ｅ）を最終的な搬送先とする。一方、紙幣制御部１１は、損傷の程度が大きく再利用すべきでないと判定した紙幣（以下これをリジェクト紙幣とも呼ぶ）については、リジェクト庫１７を最終的な搬送先とする。さらに紙幣制御部１１は、各紙幣について決定した当初の搬送先及び最終的な搬送先を、その順序と対応付けて、記憶部３８（図３）に記憶させる。
【００４７】
続いて紙幣制御部１１は、搬送制御部３５（図３）により、前搬送部２１から一時保留切替部２０へ引き渡される紙幣について決定された搬送先に応じて、一時保留切替部２０による紙幣の進行方向を切り替える。これにより一時保留切替部２０は、紙幣が入金受入紙幣であれば、矢印Ｑ２（図６）のように、一時保留搬送路１５Ｙを介して一時保留部１５へ搬送して収納させる。また一時保留切替部２０は、紙幣が入金リジェクト紙幣であれば、矢印Ｑ３のように、後搬送部２２内へ進行させて後搬送路２２Ｙに貯留させる。因みに紙幣制御部１１は、後搬送路２２Ｙに貯留している紙幣の枚数を記憶部３８（図３）に記憶させており、またこれを逐次更新している。
【００４８】
図７に示すように、後搬送部２２の後搬送路２２Ｙには、最大で４枚の紙幣ＢＬ（すなわち入金リジェクト紙幣ＢＬＲ１〜ＢＬＲ４）を貯留し得るようになっている。このため紙幣制御部１１は、仮に後搬送路２２Ｙに既に４枚の入金リジェクト紙幣ＢＬＲを貯留している状態で、入出金部１２から新たに取り込まれた紙幣ＢＬが入金リジェクト紙幣と判定された場合、これを搬送すべき場所を確保できず、入金処理を継続できなくなってしまう。そこで紙幣制御部１１は、後搬送路２２Ｙに４枚の入金リジェクト紙幣ＢＬＲを貯留した段階で、当該入金リジェクト紙幣ＢＬＲを後搬送路２２Ｙから他の場所へ搬送する処理を行う。
【００４９】
ところで入金リジェクト紙幣ＢＬＲは、上述したように、搬送異常紙幣と受入異常紙幣とに分けることができる。このうち搬送異常紙幣には、例えば図５（Ｂ）に示した紙幣ＢＬ２のように進行方向Ｗに対する短辺の傾斜が過大であるもの、紙幣ＢＬ３のように後続の紙幣ＢＬ４との間隔である距離ＬＳ３が通常の距離ＬＳよりも短いもの、紙幣ＢＬ４のように紙幣の頂点付近の一部分が折れ曲がっているもの等が含まれる。
【００５０】
紙幣ＢＬ２及び紙幣ＢＬ３は、後続の紙幣との間隔が短いために、判定処理部３１（図３）による判定処理がその完了前に打ち切られ、次の紙幣ＢＬの判定処理に移行されてしまう。また紙幣ＢＬ４は、頂点付近が折れ曲がっているために、鑑別部１４から得られる読取情報における基準点を正しく設定できず、或いはその設定に時間を要するために、判定処理部３１による判定処理がその完了前に打ち切られて次の紙幣ＢＬの判定処理に移行されてしまう。このような搬送異常紙幣は、仮に十分な時間を確保できれば、受入判定処理において正常と判定された可能性がある。
【００５１】
一方、受入異常紙幣には、鑑別部１４からの読取情報を基に、搬送状態が正常と判定された上で受入が不可能な金種と判定され、或いは損傷の程度が大きいと判定され、若しくは偽券と判定されたもの等が含まれる。これらの受入異常紙幣は、仮に読取情報を基に受入判定処理が再度行われたとしても、同一の判定結果（受入異常）が得られる可能性が高い。
【００５２】
そこで紙幣入出金機１０は、後搬送路２２Ｙに４枚の入金リジェクト紙幣ＢＬＲを貯留した段階で、搬送異常紙幣についてのみ、記憶している読取情報を基に受入判定処理を行った上で、得られた判定結果に応じて紙幣の搬送先を決定するようになっている。
【００５３】
具体的に紙幣入出金機１０の紙幣制御部１１は、後搬送路２２Ｙに４枚目の入金リジェクト紙幣ＢＬＲを搬送し終えると、再判定プログラムを読み出して実行することにより、図８に示す再判定処理手順ＲＴ１を開始する。紙幣制御部１１は、まずステップＳＰ１へ移り、搬送制御部３５（図３）により、入出金部１２からの新たな紙幣の取込処理を中止して、次のステップＳＰ２へ移る。ステップＳＰ２において紙幣制御部１１は、最も前側の入金リジェクト紙幣ＢＬＲ（例えば図７における入金リジェクト紙幣ＢＬＲ１）を対象紙幣に選定して、次のステップＳＰ３へ移る。
【００５４】
ステップＳＰ３において紙幣制御部１１は、記憶部３８（図３）から対象紙幣の判定結果を読み出し、次のステップＳＰ４へ移る。ステップＳＰ４において紙幣制御部１１は、判定結果が搬送異常であるか否かを判定する。ここで肯定結果が得られると、このことは対象紙幣について受入判定処理が正常に完了しておらず、該受入判定処理を再度行うことにより、対象紙幣が受入可能と判定される可能性があることを表している。このとき紙幣制御部１１は、次のステップＳＰ５へ移る。
【００５５】
ステップＳＰ５において紙幣制御部１１は、受入判定処理部３３（図３）により、対象紙幣について記憶部３８（図３）に記憶している読取情報を用いて再度の受入判定処理、すなわち再判定処理を行い、次のステップＳＰ６へ移る。ステップＳＰ６において紙幣制御部１１は、再判定処理において受入可能と判定されたか否かを判定する。ここで肯定結果が得られると、このことは対象紙幣を他の入金受入紙幣と同様に取り扱うべきであり、顧客に返却する必要が無いことを表している。このとき紙幣制御部１１は、次のステップＳＰ７へ移る。
【００５６】
ステップＳＰ７において紙幣制御部１１は、他の入金受入紙幣と同様、対象紙幣の当初の搬送先を一時保留部１５に決定し、さらにその損傷の程度や金種に応じて最終的な搬送先を決定して、記憶部３８（図３）に記憶させる。その上で紙幣制御部１１は、搬送制御部３５（図３）により、図９に示す矢印Ｑ４及びＱ５のように、対象紙幣を後搬送路２２Ｙから一時保留切替部２０及び一時保留搬送路１５Ｙを介して当初の搬送先である一時保留部１５へ搬送し、次のステップＳＰ９へ移る。
【００５７】
一方、ステップＳＰ４において否定結果が得られると、このことは、対象紙幣が読取情報を用いた受入判定処理において既に異常（すなわち受入異常）と判定されており、同一の読取情報を用いた同一の受入判定処理を再度行う必要が無いことを表している。このとき紙幣制御部１１は、次のステップＳＰ８へ移る。また、ステップＳＰ６において否定結果が得られると、このことは対象紙幣が受入異常紙幣であり、顧客に返却するべきであることを表している。この場合も紙幣制御部１１は、次のステップＳＰ８へ移る。
【００５８】
ステップＳＰ８において紙幣制御部１１は、搬送制御部３５（図３）により、図９に示す矢印Ｑ４及びＱ６のように、対象紙幣を後搬送路２２Ｙから一時保留切替部２０を介して前搬送部２１の前搬送路２１Ｙへ搬送し、さらに入出金部１２へ搬送して収容器１２Ａ内に収容させ、次のステップＳＰ９へ移る。
【００５９】
ステップＳＰ９において紙幣制御部１１は、後搬送路２２Ｙに１枚以上の入金リジェクト紙幣ＢＬＲが残っているか否かを判定する。ここで肯定結果が得られると、このとき紙幣制御部１１はステップＳＰ２へ戻り、残りの入金リジェクト紙幣ＢＬＲについても同様の処理を繰り返す。一方、ステップＳＰ９において否定結果が得られると、このことは後搬送路２２Ｙに貯留していた全ての入金リジェクト紙幣ＢＬＲを一時保留部１５又は入出金部１２へ搬送し終えたことを表している。このとき紙幣制御部１１は、次のステップＳＰ１０へ移る。
【００６０】
例えば、図７に示した入金リジェクト紙幣ＢＬＲ１〜ＢＬＲ４のうち、入金リジェクト紙幣ＢＬＲ１及びＢＬＲ３が搬送異常紙幣であったもののステップＳＰ５の受入判定処理において受入可能と判定され、また入金リジェクト紙幣ＢＬＲ２及びＢＬＲ４が受入異常紙幣であったものとする。この場合、紙幣制御部１１の搬送制御部３５は、ステップＳＰ２〜ＳＰ９の処理により、図９に示したように、入金リジェクト紙幣ＢＬＲ１及びＢＬＲ３を一時保留部１５に収納させ、また入金リジェクト紙幣ＢＬＲ２及びＢＬＲ４を入出金部１２の収容器１２Ａ内に収容させる。
【００６１】
ステップＳＰ１０において紙幣制御部１１は、この再判定処理手順ＲＴ１において入出金部１２へ１枚以上の入金リジェクト紙幣ＢＬＲを搬送したか否かを判定する。ここで肯定結果が得られると、このことは入出金部１２の収容器１２Ａ内に受入異常と判定された入金リジェクト紙幣ＢＬＲが１枚以上収容されており、これを顧客に返却するべきであることを表している。このとき紙幣制御部１１は、次のステップＳＰ１１へ移り、入出金部１２のシャッタ１２Ｂを開放することにより顧客に紙幣を返却し、次のステップＳＰ１３へ移る。因みに顧客は、返却された紙幣を確認し、必要に応じて紙幣を再投入する。
【００６２】
一方、ステップＳＰ１０において否定結果が得られると、このことは入出金部１２の収容器１２Ａ内に入金リジェクト紙幣ＢＬＲが収容されておらず、顧客に紙幣を返却する必要が無いことを表している。このとき紙幣制御部１１は、次のステップＳＰ１２へ移り、搬送制御部３５によって、ステップＳＰ１において中止していた入出金部１２からの新たな紙幣の取込処理を再開した後、その次のステップＳＰ１３へ移って再判定処理手順ＲＴ１を終了する。
【００６３】
因みに紙幣制御部１１は、入出金部１２に投入された全ての紙幣を取り込み終えた段階で、後搬送路２２Ｙに１枚以上の入金リジェクト紙幣ＢＬＲを貯留していた場合にも、再判定処理手順ＲＴ１を実行するようになっている。これにより紙幣制御部１１は、入金取込処理を完了する。
【００６４】
このとき紙幣制御部１１は、一時保留部１５に収納している入金受入紙幣の金種及び枚数を集計することにより合計金額を算出し、これを入金額とする。続いて紙幣制御部１１は、表示制御部３６（図３）により、主制御部９（図１）と連携して、所定の操作指示画面を操作表示部６に表示し、この入金額を顧客に提示すると共に入金処理を継続するか否かを顧客に選択させる。
【００６５】
ここで紙幣制御部１１は、顧客により入金処理の中止が指示された場合、一時保留部１５に保留している全ての紙幣を搬送部１３の前搬送部２１により入出金部１２へ順次搬送して収容器１２Ａ内に収納させ、その後シャッタ１２Ｂを開放することにより顧客に返却する。
【００６６】
このように紙幣入出金機１０は、入金計数処理において、後搬送路２２Ｙに最大枚数（すなわち４枚）の入金リジェクト紙幣ＢＬＲを貯留した場合、搬送異常であった紙幣について再判定処理を行い、受入可能と判定された場合に入金受入紙幣として取り扱う。
【００６７】
［１−２−２．入金収納処理］
紙幣制御部１１は、顧客により入金処理の継続が指示された場合、入金収納処理を開始する。具体的に紙幣制御部１１は、まず一時保留部１５において操出処理を開始し、図１０に示す矢印Ｑ７のように、収納している紙幣（入金受入紙幣）を順次繰り出し、一時保留搬送路１５Ｙを介して一時保留切替部２０へ受け渡す。
【００６８】
このとき紙幣制御部１１の搬送制御部３５（図３）は、入金計数処理において決定された紙幣毎の最終的な搬送先に応じて、一時保留切替部２０による紙幣の搬送経路を切り替える。具体的に一時保留切替部２０は、紙幣の最終的な搬送先がリジェクト庫１７又は紙幣収納庫１６Ａであれば、矢印Ｑ８のように当該紙幣を前搬送部２１へ進行させる。また一時保留切替部２０は、紙幣の最終的な搬送先が紙幣収納庫１６Ｂ〜１６Ｅであれば、矢印Ｑ９のように当該紙幣を後搬送部２２へ進行させる。
【００６９】
さらに紙幣制御部１１の搬送制御部３５は、各紙幣の最終的な搬送先に応じて前搬送部２１及び後搬送部２２の各切替部を適宜制御することにより、当該紙幣をそれぞれの最終的な搬送先へ搬送してそれぞれ収納させる。これにより紙幣制御部１１は、再利用可能な紙幣を金種ごとに分類して紙幣収納庫１６Ａ〜１６Ｅに収納でき、また再利用すべきで無いリジェクト紙幣をリジェクト庫１７に収納できる。
【００７０】
［１−２−３．出金処理］
紙幣入出金機１０は、出金処理において、紙幣制御部１１の制御に基づき、指定された金額に応じた金種及び枚数の紙幣を出金する出金処理を行うようになっている。以下では、紙幣収納庫１６Ｂ〜１６Ｅに収納されている紙幣を出金する場合を例に説明する。
【００７１】
紙幣制御部１１は、顧客から操作表示部６（図１）を介して出金額を含む所定の操作入力を受け付けると、出金額に応じた紙幣の金種及び枚数を決定する。続いて紙幣制御部１１の搬送制御部３５（図３）は、決定した金種及び枚数に応じて、図１１に示す矢印Ｑ１０のように、各紙幣収納庫１６内に収納されている紙幣を順次繰り出し、搬送部１３に順次受け渡す。
【００７２】
搬送部１３は、前搬送部２１内を前方へ向けて進行する紙幣の走行状態を鑑別部１４により鑑別し、その鑑別結果を紙幣制御部１１（図２）へ送出する。紙幣制御部１１の搬送制御部３５は、紙幣の走行状態に応じてリジェクト切替部２４を切り替え、当該走行状態に問題が無ければ入出金部１２へ進行させ、例えば重送のように搬送状態に問題があればリジェクト庫１７へ進行させて、それぞれ紙幣を収納させる。やがて紙幣制御部１１は、出金額に応じた全ての紙幣を入出金部１２の収容器１２Ａ内に放出し終えると、シャッタ１２Ｂを開放させて顧客に当該紙幣を取り出させる。
【００７３】
［１−３．効果等］
以上の構成において、第１の実施の形態による現金自動預払機１の紙幣入出金機１０は、入金計数処理において鑑別部１４により得られた読取情報を用いて紙幣制御部１１により搬送判定処理及び受入判定処理を行い、受入可能紙幣を一時保留部１５に収納させる一方、入金リジェクト紙幣を後搬送部２２の後搬送路２２Ｙに貯留させる。
【００７４】
その後紙幣制御部１１は、後搬送路２２Ｙに貯留可能な最大枚数である４枚の紙幣（入金リジェクト紙幣ＢＬＲ）が貯留されると、再判定処理手順ＲＴ１（図８）を実行することにより、この紙幣に対し再判定処理を行う。ここで紙幣制御部１１は、正常（受入可能）と判定された紙幣を他の受入可能紙幣と同様に一時保留部１５へ搬送して収納させ、異常と判定された紙幣（受入異常紙幣）を入出金部１２へ搬送して顧客に返却する。
【００７５】
これにより紙幣入出金機１０は、後搬送路２２Ｙに貯留された入金リジェクト紙幣ＢＬＲを無条件で全て入出金部１２へ搬送して顧客に返却する場合と比較して、顧客に返却する紙幣の枚数を削減することができる。また紙幣入出金機１０は、本来的に受入可能な紙幣を、搬送部１３において偶発的に搬送異常となったために入金リジェクト紙幣ＢＬＲとしてしまい、顧客に返却して無駄な確認の手間をかける可能性を、格段に低減できる。さらに紙幣入出金機１０は、全ての入金リジェクト紙幣ＢＬＲが受入可能紙幣となった場合、顧客に紙幣を返却すること無く入出金部１２からの新たな紙幣の取込処理を再開するため（ステップＳＰ１２）、入金計数処理に要する時間のさらなる短縮を図ることができる。
【００７６】
これを他の観点から見れば、紙幣入出金機１０は、入金取引等の各種取引処理を短時間で完了するべく、搬送部１３において多数の紙幣ＢＬを短時間に順次搬送する必要があり、上述したように、紙幣同士の搬送周期が比較的短くなっている（図５（Ａ））。これに伴い紙幣入出金機１０は、１枚の紙幣ＢＬにおける判定処理にかけられる時間も比較的短くなっており、搬送路に対する紙幣ＢＬの傾きや紙幣ＢＬ同士の間隔の短縮等が生じた際に（図５（Ｂ））、搬送異常と判定される傾向が高まっている。
【００７７】
そこで紙幣入出金機１０では、後搬送路２２Ｙに貯留可能な最大枚数の入金リジェクト紙幣ＢＬＲが貯留された場合に、時間的な制約にとらわれることなく、必要十分な時間をかけながら、再度受入判定処理を行うようにしたのである。これにより紙幣入出金機１０は、本来的には最初の判定処理（すなわち鑑別部１４の通過時に行われる判定処理）において入金受入紙幣と判定するべきでありながら搬送異常と判定した紙幣を、再判定処理により正しく入金受入紙幣と判定でき、あたかも当該紙幣を「救済する」ことができる。
【００７８】
また紙幣入出金機１０は、最初の判定処理において取得された読取情報を記憶部３８（図３）に記憶しておき、再判定処理において、この記憶部３８から読み出した読取情報を用いて入金リジェクト紙幣ＢＬＲの受入判定処理を行う。このため紙幣入出金機１０は、入金リジェクト紙幣ＢＬＲを鑑別部１４まで搬送する必要が無く、紙幣制御部１１の受入判定処理部３３（図３）による演算処理を行うだけで、再判定処理を極めて短い時間で完了できる。
【００７９】
さらに紙幣入出金機１０は、再判定処理において、入金リジェクト紙幣ＢＬＲのうち、受入異常紙幣を除いた搬送異常紙幣のみに対し、受入判定処理を行う。このため紙幣入出金機１０は、受入異常紙幣について、最初の判定処理と同一の読取情報を基に同一の判定処理により同一の判定結果を得る、といった無駄な処理を省略できる。
【００８０】
以上の構成によれば、第１の実施の形態による現金自動預払機１の紙幣入出金機１０は、入金計数処理において入金リジェクト紙幣を後搬送路２２Ｙに貯留させる。その後、紙幣入出金機１０は、記憶している読取情報を用いて再判定処理を行い、受入可能と判定されたものを受入可能紙幣と同様に一時保留部１５へ搬送して収納させ、異常と判定されたものを入出金部１２へ搬送して顧客に返却する。これにより紙幣入出金機１０は、後搬送路２２Ｙに貯留された入金リジェクト紙幣ＢＬＲを無条件で全て入出金部１２へ搬送して顧客に返却する場合と比較して、顧客に返却する紙幣の枚数を削減でき、顧客の手間を減らすことができる。
【００８１】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０は、第１の実施の形態による紙幣入出金機１０と比較して、紙幣制御部１１に代わる紙幣制御部１１１を有する点において相違するものの、他の点については同様に構成されている。
【００８２】
紙幣制御部１１１は、第１の実施の形態と同様、図示しないＣＰＵと、ＲＯＭ、ＲＡＭ及びフラッシュメモリ等でなる記憶部とにより構成されている。このため紙幣制御部１１１は、第１の実施の形態と同様に入金計数プログラムを読み出して実行することにより、図３に示したような、判定処理部３１、搬送制御部３５、表示制御部３６及び記憶部３８といった複数の機能ブロックを形成する。
【００８３】
［２−１．入金計数処理における再判定処理］
紙幣制御部１１１は、入金計数処理において後搬送路２２Ｙに４枚目の入金リジェクト紙幣ＢＬＲを搬送し終えると、再判定プログラムを読み出して実行することにより、図８に代わる図１２及び図１３に示す再判定処理手順ＲＴ２を開始する。
【００８４】
紙幣制御部１１１は、ステップＳＰ２１〜ＳＰ２７において第１の実施の形態におけるステップＳＰ１〜ＳＰ７（図８）とそれぞれ同様の処理を行う。因みに紙幣制御部１１１は、ステップＳＰ２７において、図９と対応する図１４に示す矢印Ｑ１１及びＱ１２のように、対象紙幣を後搬送路２２Ｙから一時保留切替部２０を介して当初の搬送先である一時保留部１５へ搬送し、次のステップＳＰ３０へ移る。
【００８５】
紙幣制御部１１１は、ステップＳＰ２６において否定結果が得られた場合、すなわち対象紙幣が搬送異常であったものの、受入判定処理において異常と判定された場合、次のステップＳＰ２８へ移る。ステップＳＰ２８において紙幣制御部１１１は、対象紙幣が受入異常と判定されたことに応じて、記憶部３８（図３）に記憶している判定結果を更新し、次のステップＳＰ２９へ移る。また紙幣制御部１１１は、ステップＳＰ２４において否定結果が得られた場合もステップＳＰ２９へ移る。
【００８６】
ステップＳＰ２９において紙幣制御部１１１は、図１３に示す矢印Ｑ１１及びＱ１３に示すように、対象紙幣を後搬送路２２Ｙから一時保留切替部２０を介して前搬送路２１Ｙへ搬送して貯留させ、次のステップＳＰ３０へ移る。ステップＳＰ３０において紙幣制御部１１１は、ステップＳＰ９（図８）と同様の処理を行い、後搬送路２２Ｙに貯留されている全ての紙幣についてステップＳＰ２２〜ＳＰ２９の処理を繰り返した後、次のステップＳＰ３１（図１３）へ移る。
【００８７】
ステップＳＰ３１において紙幣制御部１１１は、顧客により投入された紙幣が入出金部１２に１枚以上残っているか否かを判定する。ここで肯定結果が得られると、このことは、後搬送路２２Ｙに新たな入金リジェクト紙幣ＢＬＲを貯留可能な状態である限り、入出金部１２から新たな紙幣を取り込むべきであることを表している。このとき紙幣制御部１１１は、次のステップＳＰ３２へ移り、この再判定処理手順ＲＴ２において後搬送路２２Ｙに貯留していた全ての入金リジェクト紙幣ＢＬＲを前搬送路２１Ｙへ搬送したか否かを判定する。
【００８８】
ここで否定結果が得られると、このことは後搬送路２２Ｙに貯留していた入金リジェクト紙幣のうち少なくとも１枚が受入可能と判定されて一時保留部１５へ搬送されたため、残っている入金リジェクト紙幣ＢＬＲの枚数が削減されたことを表している。このとき紙幣制御部１１１は、次のステップＳＰ３３へ移る。
【００８９】
ステップＳＰ３３において紙幣制御部１１１は、この再判定処理手順ＲＴ２において後搬送路２２Ｙに貯留していた全ての入金リジェクト紙幣ＢＬＲを一時保留部１５へ搬送したか否かを判定する。ここで否定結果が得られると、このことは、受入異常紙幣を少なくとも１枚以上前搬送路２１Ｙに貯留していることを表している。このとき紙幣制御部１１１は、次のステップＳＰ３４へ移る。ステップＳＰ３４において紙幣制御部１１１は、前搬送路２１Ｙに貯留している全ての入金リジェクト紙幣ＢＬＲを後搬送路２２Ｙへ搬送することにより、当該前搬送路２１Ｙによる紙幣の搬送を可能として、次のステップＳＰ３５へ移る。
【００９０】
またステップＳＰ３３において肯定結果が得られると、このことは後搬送路２２Ｙに貯留していた全ての入金リジェクト紙幣ＢＬＲが受入可能と判定され一時保留部１５へ搬送されており、前搬送路２１Ｙに紙幣を１枚も貯留していないことを表している。このとき紙幣制御部１１１は、次のステップＳＰ３５へ移る。ステップＳＰ３５において紙幣制御部１１１は、ステップＳＰ２１において中止していた入出金部１２からの新たな紙幣の取込処理を再開した後、次のステップＳＰ３９へ移って再判定処理手順ＲＴ２を終了する。
【００９１】
一方、ステップＳＰ３１において否定結果が得られると、紙幣制御部１１１は次のステップＳＰ３６へ移り、前搬送路２１Ｙに１枚以上の紙幣を搬送したか否かを判定する。ここで肯定結果が得られると、このことは、既に入出金部１２に投入された全ての紙幣を取り込み終えており、前搬送路２１Ｙに残った入金リジェクト紙幣を顧客に返却するべきであることを表している。このとき紙幣制御部１１１は、次のステップＳＰ３７へ移る。
【００９２】
またステップＳＰ３２において肯定結果が得られると、このことは、後搬送路２２Ｙに貯留していた全ての入金リジェクト紙幣ＢＬＲが受入異常と判定されたため、入金計数処理を中断し、これらの紙幣（すなわち受入異常紙幣）を顧客に返却する必要があることを表している。このとき紙幣制御部１１１は、次のステップＳＰ３７へ移る。ステップＳＰ３７において紙幣制御部１１１は、前搬送路２１Ｙに貯留している全ての紙幣を入出金部１２へ順次搬送して収容器１２Ａ内に収納させ、その後シャッタ１２Ｂを開放することにより顧客に返却して、次のステップＳＰ３８へ移る。
【００９３】
ステップＳＰ３８において紙幣制御部１１１は、表示制御部３６（図３）を主制御部９（図１）と連携させることにより、図１５に示す返却理由表示画面Ｄ１を操作表示部６（図１）に表示させる。この返却理由表示画面Ｄ１には、各紙幣の記番号と対応付けて、特徴を表す文字列と、特徴を検知した箇所を表す図とが表示されている。紙幣制御部１１１は、この返却理由表示画面Ｄ１により、紙幣を返却する理由を顧客に伝え、それぞれの理由に応じた適切な対処をこの顧客に行わせて、さらに必要に応じて紙幣を入出金部１２に再投入させた後、次のステップＳＰ３９へ移って再判定処理手順ＲＴ２を終了する。
【００９４】
なお、ステップＳＰ３６において否定結果が得られると、このことは、既に入出金部１２に投入された全ての紙幣を取り込み終えており、且つ前搬送路２１Ｙに入金リジェクト紙幣を１枚も貯留していないため、顧客に紙幣を返却する必要が無いことを表している。このとき紙幣制御部１１１は、次のステップＳＰ３９へ移って再判定処理手順ＲＴ２を終了する。
【００９５】
因みに紙幣制御部１１１は、第１の実施の形態と同様、入出金部１２に投入された全ての紙幣を取り込み終えた段階で、後搬送路２２Ｙに１枚以上の入金リジェクト紙幣ＢＬＲを貯留していた場合にも、再判定処理手順ＲＴ２を実行する。これにより紙幣制御部１１１は、入金取込処理を完了する。また紙幣入出金機１１０は、第１の実施の形態と同様の入金収納処理及び出金処理を行うようになっている。
【００９６】
［２−２．効果等］
以上の構成において、第２の実施の形態による現金自動預払機１０１の紙幣入出金機１１０は、入金計数処理において鑑別部１４により得られた読取情報を用いて紙幣制御部１１１により搬送判定処理及び受入判定処理を行い、受入可能紙幣を一時保留部１５に収納させる一方、入金リジェクト紙幣を後搬送部２２の後搬送路２２Ｙに貯留させる。
【００９７】
その後紙幣制御部１１１は、後搬送路２２Ｙに貯留可能な最大枚数である４枚の紙幣（入金リジェクト紙幣ＢＬＲ）が貯留されると、再判定処理手順ＲＴ２（図１２及び図１３）を実行することにより、この紙幣に対し再判定処理を行う。ここで紙幣制御部１１１は、受入可能と判定された紙幣を受入可能紙幣と同様に一時保留部１５へ搬送して収納させ、受入異常と判定された紙幣（すなわち入金リジェクト紙幣ＢＬＲ）を前搬送路２１Ｙへ搬送する。このとき紙幣制御部１１１は、原則として、入金リジェクト紙幣ＢＬＲをこの時点では顧客に返却せず、再び後搬送路２２Ｙへ搬送した後、入出金部１２からの残りの紙幣の取込処理を再開する。
【００９８】
これにより紙幣入出金機１１０は、後搬送路２２Ｙに４枚の入金リジェクト紙幣ＢＬＲが貯留される度に全てを入出金部１２へ搬送して顧客に返却する場合と比較して、顧客が紙幣を受け取り、その状態等を確認し、必要に応じて再投入する、といった手間をかける頻度を大幅に低減させることができ、入金計数処理に要する時間を格段に短縮できる。
【００９９】
また紙幣入出金機１１０は、後搬送路２２Ｙに貯留していた全ての紙幣が受入異常と判定された場合等、顧客に入金リジェクト紙幣を返却する場合であっても、第１の実施の形態と同様に、搬送異常と判定された紙幣を含まず、受入異常と判定された紙幣のみを返却するため、顧客に返却する紙幣の枚数を大幅に削減できる。このとき紙幣入出金機１０は、やはり第１の実施の形態と同様に、本来的に受入可能な紙幣を、搬送部１３において偶発的に搬送異常となったために入金リジェクト紙幣ＢＬＲとしてしまい、顧客に返却して無駄な確認の手間をかける可能性を、格段に低減できる。
【０１００】
さらに紙幣入出金機１１０は、入金リジェクト紙幣を顧客に返却するときに、返却理由表示画面Ｄ１（図１５）を操作表示部６に表示させるようにした。これにより紙幣入出金機１１０は、紙幣が返却される理由を顧客に容易に認識させることができ、これに伴って顧客に異物の除去やしわを伸ばす等の作業を行わせた上で再投入させ、若しくは顧客に紙幣を窓口へ持ち込ませる、といった適切な対処を行わせることができる。
【０１０１】
その他の点についても、第２の実施の形態による紙幣入出金機１１０は、第１の実施の形態による紙幣入出金機１０と同様の作用効果を奏し得る。
【０１０２】
以上の構成によれば、第２の実施の形態による現金自動預払機１０１の紙幣入出金機１１０は、入金計数処理において入金リジェクト紙幣を後搬送路２２Ｙに貯留させる。その後、紙幣入出金機１１０は、記憶している読取情報を用いて再判定処理を行い、受入可能と判定されたものを受入可能紙幣と同様に一時保留部１５へ搬送して収納させ、異常と判定されたものを前搬送路２１Ｙへ搬送し、再び後搬送路２２Ｙへ搬送する。これにより紙幣入出金機１１０は、後搬送路２２Ｙに貯留された入金リジェクト紙幣ＢＬＲを無条件で全て入出金部１２へ搬送して顧客に返却する場合と比較して、顧客に返却する頻度を格段に低減でき、顧客の手間を減らすと共に所要時間を大幅に短縮できる。
【０１０３】
［３．他の実施の形態］
なお上述した第１の実施の形態においては、搬送部１３において後搬送路２２Ｙと紙幣収納庫１６Ｂ〜１６Ｅとをそれぞれ接続する構成とし、当該後搬送路２２Ｙに入金リジェクト紙幣ＢＬＲを貯留する場合について述べた（図７）。しかしながら本発明はこれに限らず、例えば搬送部によりリジェクト庫や取忘収納庫（図示せず）と接続された搬送路が十分な長さを有している場合に、これらの搬送路上に入金リジェクト紙幣ＢＬＲを貯留する等、種々の搬送路に貯留しても良い。要は、入金受入紙幣の搬送を妨げること無く、入金リジェクト紙幣ＢＬＲを搬送路上に一時的に貯留できれば良い。或いは、搬送路上に限らず、例えば空の紙幣収納庫等、種々の箇所に入金リジェクト紙幣ＢＬＲを貯留しても良い。第２の実施の形態についても同様である。
【０１０４】
また上述した第１の実施の形態においては、再判定処理において新たに受入異常と判定され、若しくは既に受入異常と判定された受入異常紙幣を、前搬送路２１Ｙを経由して入出金部１２へ搬送する場合について述べた。第２の実施の形態においては、この受入異常紙幣を前搬送路２１Ｙへ搬送する場合について述べた。しかしながら本発明はこれに限らず、例えば紙幣収納庫１６Ａ（図２）等、前搬送路２１Ｙ若しくはこれに接続された種々の箇所へ受入異常紙幣を搬送するようにしても良い。
【０１０５】
さらに上述した第１の実施の形態においては、再判定処理手順ＲＴ１（図８）として、入金リジェクト紙幣のうち搬送異常紙幣のみ再判定処理を行う場合について述べた。しかしながら本発明はこれに限らず、例えば入金リジェクト紙幣のうち受入異常紙幣も含めた全ての紙幣について再判定処理を行うようにしても良い。第２の実施の形態についても同様である。
【０１０６】
さらに上述した第１の実施の形態においては、再判定処理において受入可能と判定された受入可能紙幣を、一時保留切替部２０により一時保留部１５へ搬送して収納させる場合について述べた。しかしながら本発明はこれに限らず、例えば一時保留切替部２０の制約により後搬送路２２Ｙから一時保留部１５へ直接搬送できない場合に、受入可能紙幣を前搬送路２１Ｙ経由で紙幣収納庫１６Ａ（図２）へ搬送して一時的に収納させた後、当該紙幣収納庫１６Ａから一時保留部１５へ搬送しても良い。要は、種々の搬送経路を利用することにより、受入可能紙幣を最終的に一時保留部１５へ搬送して収納させることができれば良い。第２の実施の形態についても同様である。
【０１０７】
さらに上述した第１の実施の形態においては、後搬送路２２Ｙに４枚の入金リジェクト紙幣ＢＬＲを貯留した時点、若しくは入出金部１２内の紙幣を全て取込終えた時点で、再判定処理を実行する場合について述べた。しかしながら本発明はこれに限らず、例えば入金リジェクト紙幣ＢＬＲが発生した時点や、任意の時点等、種々の時点で再判定処理を実行しても良い。第２の実施の形態についても同様である。
【０１０８】
さらに上述した第２の実施の形態においては、返却理由表示画面Ｄ１（図１５）において、紙幣を特定するための情報として記番号を表示する場合について述べた。しかしながら本発明はこれに限らず、例えば収容器１２Ａ内における紙幣の順序を用いて「手前から１枚目」のように表示しても良く、また紙幣の金種を併記しても良い。また、返却理由を表す情報として、特徴を表す文字及び箇所を表す図の双方を表示する場合に限らず、例えば何れか一方のみを表示しても良い。さらには、「テープを剥がして下さい」や「しわを伸ばして下さい」、或いは「この紙幣は取り扱いできません。窓口へお持ち下さい。」のような、紙幣ごとの対処方法を具体的に提示しても良い。若しくは、返却理由をレシートに印字してレシート発行口８（図１）から顧客に引き渡しても良い。また、第１の実施の形態において紙幣の返却時に返却理由表示画面Ｄ１を表示するようにしても良い。
【０１０９】
さらに上述した第２の実施の形態においては、返却理由表示画面Ｄ１を顧客に目視させる場合について述べた。しかしながら本発明はこれに限らず、例えば入金リジェクト紙幣を顧客に返却した後、この顧客から問合せを受けた金融機関の職員等により所定の操作が行われた場合に、返却理由表示画面Ｄ１を表示して職員等に目視させても良い。この場合、職員等が理解できるような、専門的な情報を併記しても良い。また、例えば筐体２（図１）の後面側に保守用の表示操作部が設けられている場合に、この表示操作部に返却理由表示画面Ｄ１を表示しても良い。
【０１１０】
さらに上述した第１の実施の形態においては、紙幣制御部１１が入金計数プログラムを実行することにより、判定処理部３１等の各機能ブロックをソフトウェアによって構成する場合について述べた。しかしながら本発明はこれに限らず、例えばハードウェアのみ、若しくはハードウェア及びソフトウェアの組合せによって、判定処理部３１等の各機能ブロックを構成しても良い。第２の実施の形態についても同様である。
【０１１１】
さらに上述した第１の実施の形態においては、金融機関等において顧客（利用者）との間で入金取引や出金取引等の各種取引処理を行う現金自動預払機１に本発明を適用する場合について述べた。しかしながら本発明はこれに限らず、例えば金融機関の窓口等に設置され、当該金融機関の窓口担当職員が主に使用する紙幣処理装置（いわゆるテラーマシン）等、紙幣を取り扱う種々の装置に適用しても良い。第２の実施の形態についても同様である。
【０１１２】
さらに上述した第１の実施の形態においては、媒体としての紙幣を顧客との間で取引する現金自動預払機１に本発明を適用する場合について述べた。しかしながら本発明はこれに限らず、例えば金券や証券、或いは入場券や商品券等、種々の紙葉状の媒体を利用者との間で取引する種々の装置に適用しても良い。第２の実施の形態についても同様である。
【０１１３】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１４】
さらに上述した第１の実施の形態においては、入出部としての入出金部と、第１搬送路としての前搬送路２１Ｙと、鑑別部としての鑑別部１４と、判定処理部としての判定処理部３１と、第２搬送路としての一時保留搬送路１５Ｙと、一時保留部としての一時保留部１５と、第３搬送路としての後搬送路２２Ｙと、切替部としての一時保留切替部２０と、搬送制御部としての搬送制御部３５とによって媒体取引装置としての現金自動預払機１を構成する場合について述べた。しかしながら本発明はこれに限らず、その他種々の構成でなる入出部と、第１搬送路と、鑑別部と、判定処理部と、第２搬送路と、一時保留部と、第３搬送路と、切替部と、搬送制御部とによって媒体取引装置を構成しても良い。
【産業上の利用可能性】
【０１１５】
本発明は、例えば顧客との間で紙幣を取引する現金自動預払機でも利用できる。
【符号の説明】
【０１１６】
１、１０１……現金自動預払機、６……操作表示部、９……主制御部、１０、１１０……紙幣入出金機、１１、１１１……紙幣制御部、１２……入出金部、１３……搬送部、１４……鑑別部、１５……一時保留部、１５Ｙ……一時保留搬送路、１６……紙幣収納庫、１７……リジェクト庫、２０……一時保留切替部、２１……前搬送部、２１Ｙ……前搬送路、２２……後搬送部、２２Ｙ……後搬送路、２４……リジェクト切替部、２５、２６、２７、２８……切替部、３１……判定処理部、３２……搬送判定処理部、３３……受入判定処理部、３５……搬送制御部、３６……表示制御部、３８……記憶部、ＢＬ……紙幣、ＢＬＲ……入金リジェクト紙幣、Ｄ１……返却理由表示画面、ＬＰ、ＬＳ……距離。
【図１】
2017045133.tif 000003
【図２】
2017045133.tif 000004
【図３】
2017045133.tif 000005
【図４】
2017045133.tif 000006
【図５】
2017045133.tif 000007
【図６】
2017045133.tif 000008
【図７】
2017045133.tif 000009
【図８】
2017045133.tif 000010
【図９】
2017045133.tif 000011
【図１０】
2017045133.tif 000012
【図１１】
2017045133.tif 000013
【図１２】
2017045133.tif 000014
【図１３】
2017045133.tif 000015
【図１４】
2017045133.tif 000016
【図１５】
2017045133.tif 000017